(57)【要約】【課題】装着した光ディスクの推奨最高速度を明らかにし、判明した光ディスクの推奨最高速度をユーザに表示することができる光ディスク装置を提供する。【解決手段】書込用光ディスク１０の書き込み時の推奨最高速度が、予め書込用光ディスクの種類毎にデータとして記憶されている推奨最高速度データベース３６と、イニシャライズ時に書込用光ディスク１０の種類を読み取り、推奨最高速度データベース３６から該当する推奨最高速度データを読み出す読出手段２８と、読出手段２８によって読み出した推奨最高速度データを記憶しておく記憶手段３８と、送受信手段３４が、ホストコンピュータ４０からのコマンドであって推奨最高速度を通知すべき旨のコマンドを受信した場合には、記憶手段３８から推奨最高速度データを取り出し、送受信手段３４を介してホストコンピュータ４０へ該当する推奨最高速度データを送信するように制御する制御手段２８とを具備する。【選択図】　　　　図１
2004127418.tif 000002
【特許請求の範囲】
【請求項１】
ホストコンピュータに接続されて用いられ、ホストコンピュータから入力されるコマンドによって動作が制御される、書込用光ディスクにデータを書き込み可能な光ディスク装置において、
光ディスク装置メーカが推奨する、書込用光ディスクの書き込み時の推奨最高速度が、予め書込用光ディスクの種類毎にデータとして記憶されている推奨最高速度データベースと、
イニシャライズ時に書込用光ディスクの種類を読み取り、前記推奨最高速度データベースから該当する推奨最高速度データを読み出す読出手段と、
該読出手段によって読み出した推奨最高速度データを記憶しておく記憶手段と、
ホストコンピュータからのコマンドを受信する送受信手段と、
該送受信手段が、ホストコンピュータからのコマンドであって推奨最高速度を通知すべき旨のコマンドを受信した場合には、前記記憶手段から推奨最高速度データを取り出し、送受信手段を介してホストコンピュータへ該当する推奨最高速度データを送信するように制御する制御手段とを具備することを特徴とする光ディスク装置。
【請求項２】
書込用光ディスクにデータを書き込み可能な光ディスク装置にコマンドを送信して制御するホストコンピュータにおいて、
光ディスク装置に対し、光ディスク装置メーカが推奨する、装着されている書込用光ディスクの推奨最高速度を通知するように指示するコマンドを送信し、且つ光ディスク装置から推奨最高速度データが送信されてきた場合は、該送信されてきた推奨最高速度データを受信する送受信手段と、
該送受信手段が受信した推奨最高速度データに基づき、光ディスク装置が装着している書込用光ディスクの推奨最高速度を表示する表示手段とを具備することを特徴とするホストコンピュータ。
【請求項３】
光ディスク装置に対し、光ディスク装置メーカが推奨する、装着されている光ディスクの推奨最高速度を通知するように指示する前記コマンドを送信するようにユーザが操作可能な入力手段を具備することを特徴とする請求項２記載のホストコンピュータ。
【発明の詳細な説明】
【０００１】
【発明の属する技術分野】
本発明は、書込用光ディスクにデータ書き込み可能な光ディスク装置、およびこの光ディスク装置に接続されるホストコンピュータに関する。
【０００２】
【従来の技術】
データを書込み可能な書込用光ディスクとしてＣＤ−Ｒ、ＣＤ−ＲＷ、ＤＶＤ−Ｒ等がある。
かかる書込用光ディスクには、データの書き込み時の推奨最高速度が予め設定されている。推奨最高速度とは、書込用光ディスクのメーカが予め設定した速度であって、データ書き込み時の書き込み速度（１６倍速、２０倍速あるいは２４倍速といった、段階的に設定されている速度のことをいう）のうち、書き込みエラー等が生じない程度の速度としてメーカが設定したものをいう。
推奨最高速度は、通常は書込用光ディスクのパッケージに記載されるなどしてユーザに知らされる（非特許文献１参照）。
【０００３】
なお、かかる推奨最高速度は、各メーカが設定したものであって、該当するＣＤ−ＲやＣＤ−ＲＷにデータを書き込む際に、ユーザに書き込み速度の目安として提示すべく設定されているものである。推奨最高速度は、決してこの推奨最高速度以内であれば書き込みエラーが生じないというような保証をするものではない。
【０００４】
【非特許文献１】
「日経パソコン」２００２／４／２９　ｐ．９０
【０００５】
【発明が解決しようとする課題】
上述してきたように、書込用光ディスクには、メーカが推奨する推奨最高速度が予め定められ、ユーザは書込用光ディスクのパッケージを見て、その速度の範囲内で書き込みを行なうようにしている。
しかし、書込用光ディスクのなかには、推奨最高速度以上の速度であってもデータ書き込みが可能なディスクも存在する。例えば、パッケージには１２倍速が推奨最高速度であると記載してあっても、実際には１６倍速でのデータ書き込みが十分可能であるような場合である。
一方、パッケージに記載された推奨最高速度でデータ書き込みを行なった場合にはライトエラー（書き込みエラー）が生じてしまうような場合もある。これは光ディスク装置と光ディスクとの間では相性があるため、相性が悪い光ディスク装置に光ディスクを装着した際に起こりうる。かかる場合には、書込用光ディスクのメーカが推奨する速度よりも遅い速度でデータ書き込みを行なった方が好ましい。
【０００６】
このように、書込用光ディスクのパッケージに記載された推奨最高速度をそのまま用いると、本来もっと速い速度で書き込むことができるにもかかわらずその速い速度でデータ書き込みを行なわないので、書込用光ディスクの性能を活かすことができない場合があるという課題があった。
また、パッケージに記載された推奨最高速度でデータ書き込みを行なったとしてもライトエラーが生じてしまうおそれもあった。
【０００７】
また、ユーザ側では、データの書き込み時にはパッケージを確認しなくては推奨最高速度を知ることができなかった。しかも、パッケージ等は購入後すぐに捨てられてしまうことも多く、パッケージのみで推奨最高速度を確認することは困難であった。
【０００８】
そこで、本発明は上記課題を解決すべくなされ、その目的とするところは、装着した光ディスクの正確な推奨最高速度をパッケージによらずにユーザに提示することができる光ディスク装置、およびホストコンピュータを提供することにある。
【０００９】
【課題を解決するための手段】
本発明にかかる光ディスク装置によれば、ホストコンピュータに接続されて用いられ、ホストコンピュータから入力されるコマンドによって動作が制御される、書込用光ディスクにデータを書き込み可能な光ディスク装置において、光ディスク装置メーカが推奨する、書込用光ディスクの書き込み時の推奨最高速度が、予め書込用光ディスクの種類毎にデータとして記憶されている推奨最高速度データベースと、イニシャライズ時に書込用光ディスクの種類を読み取り、前記推奨最高速度データベースから該当する推奨最高速度データを読み出す読出手段と、該読出手段によって読み出した推奨最高速度データを記憶しておく記憶手段と、ホストコンピュータからのコマンドを受信する送受信手段と、該送受信手段が、ホストコンピュータからのコマンドであって推奨最高速度を通知すべき旨のコマンドを受信した場合には、前記記憶手段から推奨最高速度データを取り出し、送受信手段を介してホストコンピュータへ該当する推奨最高速度データを送信するように制御する制御手段とを具備することを特徴としている。
この構成を採用することによって、光ディスク装置は、予め光ディスク装置メーカが推奨する光ディスクの推奨最高速度をデータベース化しておき、装着されている光ディスクの正確な推奨最高速度をホストコンピュータを介してユーザに知らせることができる。これにより高速で書き込みを行なおうとするユーザにとっては、さらに書き込み速度の高速化を実現でき、一方でライトエラーの発生防止にも寄与する。
【００１０】
本発明にかかるホストコンピュータによれば、書込用光ディスクにデータを書き込み可能な光ディスク装置にコマンドを送信して制御するホストコンピュータにおいて、光ディスク装置に対し、光ディスク装置メーカが推奨する、装着されている書込用光ディスクの推奨最高速度を通知するように指示するコマンドを送信し、且つ光ディスク装置から推奨最高速度データが送信されてきた場合は、該送信されてきた推奨最高速度データを受信する送受信手段と、該送受信手段が受信した推奨最高速度データに基づき、光ディスク装置が装着している書込用光ディスクの推奨最高速度を表示する表示手段とを具備することを特徴としている。この構成を採用することによって、ユーザは、当該ホストコンピュータを介して、光ディスク装置メーカが推奨する、光ディスク装置に装着されている光ディスクの推奨最高速度を知ることができる。これにより高速で書き込みを行なおうとするユーザにとっては、さらに書き込み速度の高速化を実現でき、一方でライトエラーの発生防止にも寄与する。
【００１１】
また、光ディスク装置に対し、光ディスク装置メーカが推奨する、装着されている光ディスクの推奨最高速度を通知するように指示する前記コマンドを送信するようにユーザが操作可能な入力手段を具備することを特徴とする。
この構成によれば、ユーザが入力手段を操作することによって、推奨最高速度を通知するように指示するコマンドが光ディスク装置へ送信される。つまり、ユーザが推奨最高速度を知らなくともかまわない場合にあっては、ユーザは入力手段を操作しなければよく、ユーザの意思によって推奨最高速度が光ディスク装置側から知らされいようにすることもできる。
【００１２】
【発明の実施の形態】
以下、本発明の好適な実施の形態を添付図面に基づいて詳細に説明する。
まず、図１に光ディスク装置の内部構造についてのブロック図を示し、これに基づいて本実施形態の構成を、それらの動作と共に説明する。
光ディスク装置３０は、書込用光ディスク１０（以下、単に光ディスクという場合がある）に照射するレーザ光を発振するレーザダイオード（図示せず）および光ディスク１０からの反射光を受けるフォトディテクタ（図示せず）を有する光ピックアップ１９を具備している。
【００１３】
光ピックアップ１９は、光ディスク１０のトラッキング方向へ光ピックアップ１９を移動させる送り機構２０によって移動可能に設けられている。送り機構２０は、光ピックアップ１９がスライド可能に支持されているスレッド軸（図示せず）や送りモータ（図示せず）等から構成される。
光ディスク１０は、スピンドルモータ２２の回転軸に設けられたターンテーブル上に載置され、スピンドルモータ２２の駆動によって回転する。
【００１４】
スピンドルモータ２２の光ディスク１０の回転、光ピックアップ１９内の対物レンズ（図示せず）のトラッキング、光ピックアップ１９内の対物レンズのフォーカスおよび光ピックアップ１９の送り機構２０の制御は、サーボ制御手段２４が行なう。サーボ制御手段２４としては、サーボプロセッサが挙げられる。
【００１５】
サーボ制御手段２４は、光ディスク１０から反射してきた反射光の強度信号からＲＦアンプ２６によって抽出された誤差信号ｆおよび、制御手段２８からの制御信号ｅに基づいて各サーボ系の制御を行なう。
すなわち、サーボ制御手段２４は、対物レンズのトラッキングやフォーカス等の各サーボ制御を制御信号ａ，ｂによって行ない、さらに制御手段２８からのアドレス信号に基づき、指示されたアドレスに光ピックアップ１９が移動するように送り機構２０の制御を制御信号ｃによって行ない、ＲＦアンプ２６からの誤差信号および制御部２８からの制御信号ｅに基づいたサーボ制御手段２４からの制御信号ｄによってスピンドルモータ２２の回転制御が行なわれる。
【００１６】
光ディスク１０から読み出したデータは、ＲＦアンプ２６からデコーダ２９に入力されてデコードされ、制御手段２８へ入力される。
制御手段２８は、ＣＰＵ、メモリ等から構成されており、該メモリ内に予め記憶されている制御プログラムに基づいて、光ディスク装置３０の全体動作を統括制御する。
なお、特許請求の範囲でいう読出手段は本実施形態では制御手段２８が該当する。
【００１７】
制御手段２８には、光ディスクの種類毎に推奨最高速度が記憶されたデータテーブルＸを有する推奨最高速度データベース３６が接続されている。推奨最高速度データベース３６は、ＲＯＭ等の記憶手段によって構成されている。
また、推奨最高速度データベース３６とは別に、推奨最高速度データベース３６から抽出した推奨最高速度をデータとして一旦記憶しておく記憶手段３８が制御手段２８に接続されて設けられている。記憶手段３８もＲＯＭ等の記憶手段を採用可能である。
【００１８】
推奨最高速度データベース３６内のデータテーブルＸは、光ディスク装置３０を製造する装置メーカが、出荷時において作成して記憶させておくものである。装置メーカにおいては、過去に市場において出回った光ディスクおよび現在市場に出回っている光ディスクの推奨最高速度を調べ、データテーブルＸを作成する。
【００１９】
なお、ここで、推奨最高速度としてデータベース化されているデータは、光ディスクのメーカが推奨する推奨最高速度ではなく、装置メーカ自らの製品（光ディスク装置）で実際に書き込み速度を変えて実験し、その光ディスク装置において適正な最高速度を測定するようにし、この測定された最高速度を推奨最高速度として推奨最高速度データベース３６内のデータテーブルＸを作成している。
このようにして、ユーザは、光ディスクメーカが推奨する推奨最高速度をパッケージを見て知る他に、光ディスク装置が推奨する推奨最高速度も知ることができる。
【００２０】
光ディスク装置３０は、ＡＴＡＰＩ、ＵＳＢ、ＳＣＳＩ等のインターフェースを制御する送受信手段３４を介してホストコンピュータ４０と、ケーブル４１によって接続される。
【００２１】
次に、ホストコンピュータ４０の構成と動作について、図２に基づいて説明する。
ホストコンピュータ４０としては一般に市販されているパーソナルコンピュータを用いることができる。このホストコンピュータ４０に対して接続される光ディスク装置３０は、ホストコンピュータ４０に内蔵される場合とホストコンピュータ４０外部に外付けされる場合とがある。
【００２２】
ホストコンピュータ４０は、ＣＰＵやメモリ等から構成される制御手段４２、ハードディスク等の記憶手段４４、ＬＡＮボードやデバイスドライバ等からなる送受信手段４５、液晶画面やＣＲＴ等の表示手段４６、マウスやキーボード等の入力手段４７等を具備している。
【００２３】
制御手段４２は、記憶手段４４内に予め記憶されているアプリケーションソフトウェアであるデータ書き込みソフトを読み出して実行する。データ書き込みソフトにおける操作手順は表示手段４６で表示されるので、ユーザは入力手段４７からの操作によって光ディスク装置３０へコマンドを送信し、光ディスク装置３０の動作を制御することができる。
【００２４】
送受信手段４５は、ＡＴＡＰＩ、ＵＳＢ、ＳＣＳＩ等のインターフェースを制御し、光ディスク装置３０の送受信手段３４とケーブル４１を介してコマンドのやりとりやデータのやりとりを行なうことができる。
また、送受信手段４５で受信したデータであって、光ディスク装置３０から送信されてきた推奨最高速度データは、制御手段４２の制御によって表示手段４６で表示させることができる。
【００２５】
以下、本発明における光ディスク装置の動作について、図１のブロック図と図３のフローチャートに基づいて説明する。
まず、光ディスク装置３０に光ディスクを装着すると、光ピックアップ１９が光ディスク１０のイニシャライズを開始する（ステップＳ１００）。イニシャライズにおいては、ディスク情報が光ディスク１０から読み出される。ここでいうディスク情報とは、具体的には図４に示すように光ディスクのメーカ出荷時において予め記載されたメーカアドレスのことをいう。メーカアドレスは光ディスク１０のリードイン９に記述されている。かかるメーカアドレスによって光ディスクの種類が判明する。
【００２６】
続くステップＳ１０２では、イニシャライズによって読み出されたディスク情報がＲＦアンプ２６とデコーダ２８を介して制御手段２８に転送される。
ディスク情報を受けた制御手段２８は、このディスク情報に基づいて、装着された光ディスク１０の種類に該当する推奨最高速度データを推奨最高速度データベース３６から選択して取り出すようにする。例えば、制御手段２８がディスク情報から光ディスクの種類がＢであると判定した場合、制御手段２８は推奨最高速度データベース３６からＢに対応する推奨最高速度２４倍速というデータを取り出す。
【００２７】
次のステップＳ１０４では、制御手段２８は推奨最高速度データベース３６から選択して取り出した推奨最高速度データを記憶手段３８に一旦記憶する。
【００２８】
次にステップＳ１０６においては、ホストコンピュータ４０から推奨最高速度を通知するように指示するコマンドが入力されるまで記憶手段３８内に記憶してある推奨最高速度データはそのまま保持される。すなわち、もしもホストコンピュータ４０から推奨最高速度を通知するように指示するコマンドが、該当する光ディスクがデータの書き込み中に入力されなければ、記憶手段３８内に記憶された推奨最高速度データはそのままでユーザには知らされることなくデータ書き込みが終了する。
【００２９】
なお、ホストコンピュータ４０から推奨最高速度を通知するように指示するコマンドが送信されてくると、ステップＳ１０７へ移行し、制御手段２８は、記憶手段３８から推奨最高速度データを取り出して送受信手段３４からホストコンピュータ４０へ送信するように制御する。
推奨最高速度データをホストコンピュータ４０へ送信すると、光ディスク装置３０における、推奨最高速度をユーザに通知する動作が終了する。
【００３０】
以下、ホストコンピュータの動作について図２のブロック図と図５のフローチャートに基づいて説明する。
ユーザが、光ディスク装置３０に装着されている光ディスク１０の推奨最高速度を知りたいと欲する場合には、まずステップＳ２００において、ユーザが入力手段４７を操作し、光ディスク装置３０へ推奨最高速度を知らせるように指示するコマンドを出力させる。この操作は上述したようにデータ書き込みソフトの画面表示に従って行なわれる。
【００３１】
次のステップＳ２０２では、入力手段４７によって入力された指示に基づき、制御手段４２が送受信手段４５を介して光ディスク装置３０へ、推奨最高速度を通知するように指示するコマンドを送信する。
【００３２】
そして、光ディスク装置３０から推奨最高速度データが送信されてきたときには、制御手段４２の制御により、表示手段４６にこの推奨最高速度を表示する（ステップＳ２０４）。
表示手段４６に推奨最高速度が表示されることによって、ユーザはこの速度を参考にして書き込み速度の設定を行なうことができる。
【００３３】
以上本発明につき好適な実施形態を挙げて種々説明したが、本発明はこの実施形態に限定されるものではなく、発明の精神を逸脱しない範囲内で多くの改変を施し得るのはもちろんである。
【００３４】
【発明の効果】
本発明に係る光ディスク装置によれば、光ディスク装置メーカが推奨する、装着されている光ディスクの推奨最高速度をホストコンピュータを介してユーザに知らせることができる。これにより高速で書き込みを行なおうとするユーザにとっては、さらに書き込み速度の高速化を実現でき、一方でライトエラーの発生防止にも寄与する。
【００３５】
本発明に係るホストコンピュータによれば、ユーザは、ホストコンピュータを介して、光ディスク装置メーカが推奨する、光ディスク装置に装着されている光ディスクの推奨最高速度を知ることができる。これにより高速で書き込みを行なおうとするユーザにとっては、さらに書き込み速度の高速化を実現でき、一方でライトエラーの発生防止にも寄与する。
【００３６】
また、請求項３のホストコンピュータによれば、ユーザが入力手段を操作することによって、推奨最高速度を通知するように指示するコマンドが光ディスク装置へ送信される。つまり、ユーザが推奨最高速度を知らなくともかまわない場合にあっては、ユーザは入力手段を操作しなければよく、ユーザの意思によって推奨最高速度が光ディスク装置側から知らされいようにすることもできる。
【図面の簡単な説明】
【図１】本発明に係る光ディスク装置の内部構成を説明するブロック図である。
【図２】本発明に係るホストコンピュータの内部構成を説明するフローチャートである。
【図３】光ディスク装置の動作を説明するフローチャートである。
【図４】ディスク情報について説明する光ディスクの説明図である。
【図５】ホストコンピュータの動作を説明する説明図である。
【符号の説明】
１０　書込用光ディスク
１９　光ピックアップ
２０　移動機構
２２　スピンドルモータ
２４　サーボ制御手段
２６　ＲＦアンプ
２８　制御手段
２９　デコーダ
３０　光ディスク装置
３４　送受信手段
３６　推奨最高速度データベース
３８　記憶手段
４０　ホストコンピュータ
４１　ケーブル
【図１】
2004127418.tif 000003
【図２】
2004127418.tif 000004
【図３】
2004127418.tif 000005
【図４】
2004127418.tif 000006
【図５】
2004127418.tif 000007